(57)【特許請求の範囲】
【請求項１】
光源が取り付けられた光源取付部と、
前記光源取付部から照射側に向かって広がった状態で形成され、前記光源の光を反射する内面部と前記内面部の裏面である外面部と前記外面部から突き出たリブとを備えた反射部であって、照射側の端部に開口部が形成された反射部と、
前記開口部の縁部に設けられた鍔部と、
前記鍔部の照射側の面である下面に取り付けられた化粧枠であって、前記開口部と連通する枠開口が形成された化粧枠と
を備え、
前記化粧枠は、
前記下面に取り付けられた取付面部と、前記枠開口に沿って前記取付面部に設けられた凹みであって前記凹みの底面と前記下面とが接した状態で前記鍔部が嵌め込まれた凹みである嵌め込み部とを備えた枠体と、
前記化粧枠の周方向において複数箇所に各々配置され、各々が前記鍔部を保持した板片である複数の保持部材と
を備え、
前記複数の保持部材の各保持部材は、
一方の端部に前記取付面部に固定された固定部を備え、前記固定部から前記反射部の前記外面部まで延びており、他方の端部に前記リブが挿入されたスリットが形成された照明器具。
【請求項２】
前記複数の保持部材の各保持部材は、
前記固定部から前記鍔部まで延び、前記鍔部を保持した保持部と、
前記保持部から前記外面部まで延び、前記他方の端部から前記保持部に向かって切り込まれた前記スリットが形成された位置決め部と
を備えた請求項１に記載の照明器具。
【請求項３】
前記複数の保持部材の各保持部材は、
前記スリットに前記リブが挿入された状態で、前記スリットの切り込み方向にスライド可能である請求項２記載の照明器具。
【請求項４】
光源が取り付けられた光源取付部と、
前記光源取付部から照射側に向かって広がった状態で形成され、前記光源の光を反射する内面部と前記内面部の裏面である外面部と前記外面部から突き出た突出部とを備えた反射部であって、照射側の端部に開口部が形成された反射部と、
前記開口部の縁部に設けられた鍔部と、
前記鍔部の照射側の面である下面に取り付けられた化粧枠であって、前記開口部と連通する枠開口が形成された化粧枠と
を備え、
前記化粧枠は、
前記下面に取り付けられた取付面部と、前記枠開口に沿って前記取付面部に設けられた凹みであって前記凹みの底面と前記下面とが接した状態で前記鍔部が嵌め込まれた凹みである嵌め込み部とを備えた枠体と、
前記化粧枠の周方向において複数箇所に各々配置され、各々が前記鍔部を保持している板片である複数の保持部材と
を備え、
前記複数の保持部材の各保持部材は、
一方の端部に前記取付面部に固定された固定部を備え、前記固定部から前記反射部の前記外面部まで延びており、他方の端部の側部が前記突出部に接している照明器具。
【請求項５】
前記複数の保持部材の各保持部材は、
前記固定部から前記鍔部まで延び、前記鍔部を保持した保持部と、
前記保持部から前記外面部まで延び、前記他方の端部の側部が前記突出部に接した位置決め部と
を備えた請求項４に記載の照明器具。
【請求項６】
前記取付面部は、
前記固定部が固定された位置の外側に、前記取付面部の外周縁に沿って形成された突出枠部を有する請求項１から５のいずれか１項に記載の照明器具。
【請求項７】
前記鍔部は、
前記下面の裏面の上面が周縁に向かって徐々に上方に傾斜した傾斜部を有し、
前記複数の保持部材の各保持部材は、
下方に屈曲し、前記上面を保持した状態で前記傾斜部と接した屈曲部を有する請求項１から６のいずれか１項に記載の照明器具。
【請求項８】
前記枠体は、環形状をなし、
前記複数の保持部材の各保持部材は、
前記枠体において等間隔となる位置に配置された請求項１から７のいずれか１項に記載の照明器具。
【請求項９】
前記複数の保持部材は、
前記枠体において、前記枠体を略３等分する位置に少なくとも３つ取り付けられた請求項８に記載の照明器具。
【請求項１０】
前記枠体は、環形状をなし、
前記複数の保持部材の各保持部材は、
前記枠体において対向する対となる位置に配置された請求項１から７のいずれか１項に記載の照明器具。
【請求項１１】
前記枠体は、四角形状をなし、
前記複数の保持部材の各保持部材は、
前記枠体において対向する辺に対となる位置に少なくとも２つ取り付けられた請求項１０に記載の照明器具。
【請求項１２】
請求項１から１１のいずれか１項に記載の照明器具と、
前記照明器具に取り付けられた光源部と、
前記光源部に電力を供給する電源部と
を備える照明装置。
【発明の詳細な説明】
【技術分野】
【０００１】
本発明は、化粧枠が取り付けられた照明器具及び照明装置に関する。
【背景技術】
【０００２】
特許文献１には、ダウンライトのような埋め込み型照明器具の開口周縁部に化粧枠を取り付ける技術が開示されている。
【先行技術文献】
【特許文献】
【０００３】
【特許文献１】特開２０１３−２１４４４２号公報
【発明の概要】
【発明が解決しようとする課題】
【０００４】
特許文献１の照明器具では、化粧枠の保持部材として、本体部、光源部及び電源部を囲む化粧枠ユニットが必要なため、本体部、光源部及び電源部の形状によっては、化粧枠を取り付け難いという課題がある。また、保持部材が大きく重くなるという課題がある。
【０００５】
本発明は、保持部材を小型化し、軽量化を図るとともに、組立性を向上させることを目的とする。
【課題を解決するための手段】
【０００６】
本発明に係る照明器具は、光源が取り付けられた光源取付部と、前記光源取付部から照射側に向かって広がった状態で形成され、前記光源の光を反射する内面部と前記内面部の裏面である外面部と前記外面部から突き出たリブとを備えた反射部であって、照射側の端部に開口部が形成された反射部と、前記開口部の縁部に設けられた鍔部と、前記鍔部の照射側の面である下面に取り付けられた化粧枠であって、前記開口部と連通する枠開口が形成された化粧枠とを備え、前記化粧枠は、前記下面に取り付けられた取付面部と、前記枠開口に沿って前記取付面部に設けられた凹みであって前記凹みの底面と前記下面とが接した状態で前記鍔部が嵌め込まれた凹みである嵌め込み部とを備えた枠体と、前記嵌め込み部の外周側の前記取付面部から前記外面部まで延び、一方の端部に前記取付面部に固定された固定部を備え、他方の端部に前記リブが挿入されたスリットが形成された保持部材とを備えた。
【発明の効果】
【０００７】
本発明に係る照明器具によれば、光源取付部から照射側に向かって広がった状態で形成され、外面部から突き出たリブを備えた反射部と、反射部の開口部の縁部に設けられた鍔部と、鍔部に取り付けられ、開口部と連通する枠開口が形成された化粧枠とを備え、化粧枠は、鍔部に取り付けられた取付面部と、枠開口に沿って取付面部に設けられ、鍔部が嵌め込まれた凹みである嵌め込み部とを備えた枠体と、嵌め込み部の外周側の取付面部から外面部まで延び、一方の端部に取付面部に固定された固定部を備え、他方の端部にリブが挿入されたスリットが形成された保持部材とを備えたので、保持部材を小型化し、軽量化を図るとともに、組立性を向上させることができる。
【図面の簡単な説明】
【０００８】
【図１】実施の形態１に係る照明装置１０を示す斜視図。
【図２】実施の形態１に係る照明装置１０を照射側から見た底面図。
【図３】実施の形態１に係る照明器具３０を示す４面図。
【図４】実施の形態１に係る光源ユニット２０を示す図。
【図５】実施の形態１に係る照明装置１０の分解斜視図。
【図６】実施の形態１に係る化粧枠１５０を示す図であり、（ａ）は斜視図、（ｂ）は平面図。
【図７】実施の形態１に係る保持部材１５５の取り付け状態を示す図。
【図８】実施の形態１を示す図であり、図３のＡ部拡大図の模式図。
【図９】実施の形態２に係る照明装置１０ａを照射側から見た底面図。
【図１０】実施の形態２に係る化粧枠１５０ａの部分拡大図。
【図１１】実施の形態２に係る保持部材１５５の取り付け状態を示す図。
【図１２】実施の形態２に係る照明器具３０ａを示す４面図。
【図１３】実施の形態２に係る照明装置１０ａの変形例を示す図。
【図１４】実施の形態３を示す図であり、図１２のＢ部拡大図の模式図。
【発明を実施するための形態】
【０００９】
以下、本発明の実施の形態について、図を用いて説明する。なお、以下に説明する実施の形態によって本発明が限定されるものではない。また、以下の図面では各構成部材の大きさの関係が実際のものとは異なる場合がある。また、実施の形態の説明において、上、下、左、右、前、後、表、裏といった方向あるいは位置が示されている場合、それらの表記は、説明の便宜上、そのように記載しているだけであって、装置、器具、部品等の配置や向き等を限定するものではない。なお、上方を取付方向あるいは取付側、下方を照射方向あるいは照射側ともいう。
【００１０】
実施の形態１．
＊＊＊構成の説明＊＊＊
図１は、本実施の形態に係る照明装置１０を示す斜視図である。
図２は、本実施の形態に係る照明装置１０を照射側から見た底面図である。
図３は、本実施の形態に係る照明器具３０を示す４面図である。
図４は、本実施の形態に係る光源ユニット２０を示す図である。
図５は、本実施の形態に係る照明装置１０の分解斜視図である。
【００１１】
図１から図５を用いて、本実施の形態に係る照明装置１０の構成について説明する。
照明装置１０は、天井面あるいは壁面といった装置取付面に形成された埋め込み穴に埋め込まれて使用されるダウンライト型照明装置である。
照明装置１０は、光源ユニット２０と、照明器具３０とを備える。
【００１２】
＜光源ユニット２０の説明＞
図４及び図５に示すように、光源ユニット２０は、電源部１１０と光源部１２０とを備える。
電源部１１０は、本体取付プレート１１３と、この本体取付プレート１１３に取り付けられる電源端子台１１１と、本体取付プレート１１３に取り付けられる電源装置とを備える。電源装置はヒートシンク１２１の内側に配置されているため図示は無い。
光源部１２０は、ヒートシンク１２１と、発光素子１２３が実装された発光部１２２と、後述する照明器具３０の光源取付部１４３に取り付けられる取付部１２４とを備える。
【００１３】
電源装置は、発光部１２２に電力を供給し、発光素子１２３を点灯させる。
発光部１２２は、図４に示すように、光源部１２０の下端部に配置される。また、発光部１２２は、図５に示すように、器具本体１４０の光源取付部１４３に形成された光源開口１４３１から照射方向を臨むように配置され、光源開口１４３１から照射方向に向かって光を照射する。ヒートシンク１２１は、発光素子１２３の発する熱を放熱する。
取付部１２４は、器具本体１４０の光源取付部１４３に形成された立上り部１４５の上端部と係合し、ネジなどの固定部材により器具本体１４０に固定される。
発光素子１２３は、具体的にはＬＥＤである。また、発光素子１２３は、ＬＥＤ以外の発光素子、具体的には、有機ＥＬあるいはレーザでもよい。
【００１４】
＜照明器具３０の説明＞
照明器具３０は、器具本体１４０と化粧枠１５０とを備える。
器具本体１４０は、光源が取り付けられた光源取付部１４３と、光源取付部１４３から照射側に向かって広がった状態で形成された反射部１４１とを備える。反射部１４１は、光源の光を反射する内面部４１１と、内面部４１１の裏面である外面部４１２と、外面部４１２から突き出たリブ１４８とを備える。リブ１４８は突出片ともいう。反射部１４１は、装置取付面の埋め込み穴に挿入される部分であり、照射側の端部に開口部１４４が形成されている。また、器具本体１４０は、反射部１４１の開口部１４４の縁部に設けられた鍔部１４２を備える。
【００１５】
光源取付部１４３には、光源ユニット２０の取付部１２４が取り付けられる。
反射部１４１は、光源取付部１４３から外方へ向かって傾斜するように形成される。反射部１４１の内面部４１１は、発光部１２２から照射される光を反射する。
鍔部１４２は、反射部１４１の照射側の端部の開口部１４４から外方に向かって突出しており、略円形の環状をなす。図５に示すように、鍔部１４２は、照射側の面である下面４２１と、下面４２１の裏面である上面４２２とを備える。
【００１６】
反射部１４１の外面部４１２には、装置取付面の埋め込み穴の周縁部と係合する取付バネ１４６が取り付けられる。取付バネ１４６は、反射部１４１の外面部４１２から取付方向に突き出たバネ取付部１４７に取り付けられている。図３に示すように、本実施の形態では、器具本体１４０は、器具本体１４０を取付側から見た場合に、略円形の外面部４１２の縁部に略等間隔に配置された３つの取付バネ１４６を備える。すなわち、バネ取付部１４７も略円形の外面部４１２の縁部に略等間隔に３つ設けられる。
【００１７】
また、反射部１４１の外面部４１２には、隣り合う取付バネ１４６の間に少なくとも１つのリブ１４８が形成されている。すなわち、本実施の形態では、器具本体１４０は少なくとも３つのリブ１４８を有する。
リブ１４８は、外面部４１２の一部から鍔部１４２が伸びた方向に形成された板片である。図１に示すように、リブ１４８は、外面部４１２において、外面部４１２と鍔部１４２との境界部分Ｐ１から器具本体１４０の中央部である光源取付部１４３に向かう途中の中間点Ｐ２までの部分から、光源取付部１４３を中心とした放射方向に突き出した板片である。外面部４１２は傾斜しているため、Ｐ１からＰ２までの部分が放射方向に突き出すことにより、外面部４１２から上方に突き出したリブ１４８が形成される。図３に示すように、リブ１４８は、上方から見ると器具本体１４０の中央部Ｐ０から放射状に形成される。
照明装置１０は、装置取付面の埋め込み穴に器具本体１４０の反射部１４１部分が挿入される。このとき、リブ１４８は埋め込み穴の内側に反射部１４１が適切に収納されるようにガイドする。
【００１８】
図５に示すように、器具本体１４０の上部には、光源ユニット２０を取り付ける光源取付部１４３が設けられる。光源取付部１４３は、反射部１４１の内面部４１１に光源ユニット２０の発光部１２２を露出するための光源開口１４３１が形成される。また、光源取付部１４３は、光源開口１４３１から発光部１２２が露出するように、光源ユニット２０の取付部１２４を取り付ける。
【００１９】
＜化粧枠１５０の説明＞
図６は、本実施の形態に係る化粧枠１５０を示す図であり、（ａ）は斜視図、（ｂ）は平面図である。
図７は、本実施の形態に係る保持部材１５５の取り付け状態を示す図である。
【００２０】
化粧枠１５０は、枠体１５９と、枠体１５９に取り付けられる保持部材１５５とを有する。化粧枠１５０は、器具本体１４０に着脱自在に取り付けられる。
枠体１５９は、下面４２１に取り付けられる取付面部１５３を備える。また、枠体１５９は、枠開口１５１に沿って取付面部１５３に設けられた凹みであって凹みの底面５２１と下面４２１とが接した状態で鍔部１４２が嵌め込まれる凹みである嵌め込み部１５２を備える。
保持部材１５５は、嵌め込み部１５２の外周側の取付面部１５３である部材取付枠部１５３１から外面部４１２まで延び、一方の端部５５ａに部材取付枠部１５３１に固定された固定部５５３を備え、他方の端部５５ｂにリブ１４８が挿入されたスリット５５４が形成される。
【００２１】
＜枠体１５９の説明＞
枠体１５９は、器具本体１４０の鍔部１４２の下面４２１に取り付けられる。
枠体１５９は、中央に枠開口１５１が形成された円形の環形状である。枠体１５９は、枠開口１５１が器具本体１４０の開口部１４４と連通するように、器具本体１４０に取り付けられる。
枠体１５９は、具体的には、木材で形成される。あるいは、化粧枠１５０は、木目模様のような模様あるいは色彩が施された合成樹脂で形成されてもよい。また、模様や色彩は木目調でなくても構わない。
【００２２】
枠体１５９は、枠開口１５１の周囲に設けられ、器具本体１４０の下面４２１に取り付けられる取付面部１５３と、取付面部１５３の反対側の化粧面部１５７とを備える。化粧面部１５７は、照明装置１０が装置取付面に取り付けられた場合に、装置取付面の室内側に表れる部分である。
【００２３】
取付面部１５３は、嵌め込み部１５２と、部材取付枠部１５３１と、突出枠部１５４とを有する。
嵌め込み部１５２は、枠開口１５１に沿って取付面部１５３に設けられた環状の凹みである。図１及び図５に示すように、嵌め込み部１５２には、嵌め込み部１５２の底面５２１と鍔部１４２の下面４２１とが接した状態で鍔部１４２が収納される。嵌め込み部１５２は、収納枠部ともいう。
部材取付枠部１５３１は、取付面部１５３の一部であり、嵌め込み部１５２の外周に沿って環状に設けられる。部材取付枠部１５３１は、嵌め込み部１５２の外周に沿って嵌め込み部１５２の底面５２１より上方に、すなわち嵌め込み部１５２の底面５２１より一段高い位置に環状に設けられる。部材取付枠部１５３１には、後述する保持部材１５５の固定部５５３がネジ止めされる。
突出枠部１５４は、保持部材１５５の固定部５５３が固定された位置の外側に、取付面部１５３の外周縁に沿って形成される。すなわち、突出枠部１５４は、部材取付枠部１５３１の外周に沿って上方に突き出すように環状に設けられる。
【００２４】
＜保持部材１５５の説明＞
保持部材１５５は、枠体１５９を器具本体１４０に固定する。
図７に示すように、保持部材１５５は、固定部５５３が固定された位置から鍔部１４２まで延び、鍔部１４２を保持した保持部５５１と、保持部５５１から外面部４１２まで延び、他方の端部５５ｂから保持部５５１に向かって切り込まれたスリット５５４が形成された位置決め部５５２とを備える。
また、保持部材１５５は、他方の端部５５ｂと外面部４１２の傾斜とが干渉しないように、位置決め部５５２を外面部４１２の傾斜に沿って上方に折り曲げた折り曲げ部５５ｃを備える。
【００２５】
保持部５５１は、器具本体１４０の鍔部１４２を嵌め込み部１５２の底面５２１と挟み込んで鍔部１４２の上面４２２を保持する。
位置決め部５５２は、器具本体１４０から突出したリブ１４８をスリット５５４に挿入させることにより、保持部材１５５の位置決めをする。保持部５５１の一方の端部５５ａに、保持部材１５５を部材取付枠部１５３１にネジ１５６で固定するためのネジ挿入孔である固定部５５３が形成される。固定部５５３を貫通したネジ１５６が部材取付枠部１５３１にねじ込まれることにより、保持部材１５５が部材取付枠部１５３１に取り付けられる。保持部材１５５は、アルミニウムといった金属で形成される。
【００２６】
図７に示すように、保持部材１５５は、スリット５５４にリブ１４８が挿入された状態で、スリットの切り込み方向Ｑにスライド可能である。
【００２７】
＜照明器具３０の組み立て工程について＞
図８は、図３のＡ部を模式的に表した模式図である。
図３、図７及び図８を用いて、照明器具３０の組み立て工程について説明する。なお、光源ユニット２０の組み立て工程については説明を省略する。
【００２８】
まず、化粧枠１５０を器具本体１４０に取り付ける工程について説明する。
（１）化粧枠１５０の嵌め込み部１５２に鍔部１４２が収納されるように、器具本体１４０を化粧枠１５０に置く。
（２）（１）の状態で、保持部材１５５のスリット５５４にリブ１４８を入り込ませ、そのまま保持部材１５５の固定部５５３を部材取付枠部１５３１に置く。このとき、スリット５５４に入り込んだリブ１４８によって、保持部材１５５の取り付け位置を決めることができる。また、保持部材１５５はスリット５５４にリブ１４８が入り込んだ状態でＱ方向にスライドさせることができるので、保持部材１５５をスライドさせて固定部５５３が部材取付枠部１５３１において適切な位置にくるように位置を調整する。
【００２９】
（３）次にネジ挿入孔である固定部５５３にネジ１５６を挿入し、固定部５５３を部材取付枠部１５３１に固定する。これにより、保持部５５１と嵌め込み部１５２の底面５２１とにより鍔部１４２が挟み込まれ、化粧枠１５０は器具本体１４０に固定される。
折り曲げ部５５ｃは、反射部１４１の外面部４１２に沿って傾斜している。よって、折り曲げ部５５ｃが反射部１４１の外面部４１２に接することにより、化粧枠１５０が器具本体１４０に固定された状態を補助することができる。
また、保持部材１５５を部材取付枠部１５３１に固定する際、スリットの切り込み方向Ｑに保持部材１５５をスライドさせることができるので、ネジ挿入孔の位置をずらすことができ、部材取付枠部１５３１と嵌め込み部１５２との境界近傍、すなわち部材取付枠部１５３１と嵌め込み部１５２との際（きわ）ではなく、部材取付枠部１５３１の適正な位置にネジ留めすることができる。
【００３０】
（４）最後に、光源ユニット２０の取付部１２４と器具本体１４０の光源取付部１４３とを嵌合させて、光源ユニット２０を器具本体１４０に取り付ける。
【００３１】
図８に示すように、化粧枠１５０は、突出枠部１５４の上端部によって形成される面Ｒ１よりもネジ１５６が上方に突出しないように形成されている。よって、照明装置１０が装置取付面に取り付けられた場合に、化粧枠１５０ががたつくことがない。
【００３２】
なお、保持部材１５５は、化粧枠１５０の周方向において等間隔となる位置に配置されることが好ましい。本実施の形態では、図３に示すように、保持部材１５５は化粧枠１５０の周方向において略等間隔となる位置に３つ配置される。
【００３３】
＊＊＊他の構成＊＊＊
本実施の形態では、保持部材１５５は化粧枠１５０の周方向において略等間隔となる位置に３つ配置されていたが、３つ以外でもよい。具体的には、化粧枠１５０において略等間隔となる位置に、２つ、４つ、５つ、７つなど、いくつでも構わない。なお、器具本体１４０には、保持部材１５５に対応して、保持部材１５５を取り付ける位置にリブ１４８を設ける必要がある。また、全ての保持部材１５５についてスリット５５４にリブ１４８を挿入しなくてもよく、スリット５５４にリブ１４８を挿入しない保持部材１５５があってもよい。
【００３４】
保持部材１５５は、化粧枠１５０において対向する対となる位置に配置されるとしてもよい。この場合も、保持部材１５５の数は、２つではなく、４つ、６つ、８つなど、いくつでも構わない。この場合も器具本体１４０には、保持部材１５５に対応して、保持部材１５５を取り付ける位置にリブ１４８を設ける必要がある。
【００３５】
＊＊＊本実施の形態の効果の説明＊＊＊
以上のように、本実施の形態によれば、保持部材を小型化したので、廃材を少なくできると共に、軽量化することができる。
また、スリットにリブが入り込むようにしたので、保持部材の位置決めが容易となると共に、組立性を向上させることができる。
また、保持部材を化粧枠に取り付ける際、保持部材が取り付けられる位置がずれると、ネジ留めするためのネジ代が少なくなる恐れがあるが、保持部材をスライド可能としたので、保持部材をネジ留めする際、ネジ留めするための代を大きくすることができ、組立性を向上させることができる。
【００３６】
実施の形態２．
本実施の形態では、主に、実施の形態１と異なる点について説明する。
【００３７】
＊＊＊構成の説明＊＊＊
実施の形態１では、円形の化粧枠１５０を備えた丸型ダウンライトである照明装置１０について説明した。本実施の形態では四角形の化粧枠１５０ａを備えた角型ダウンライトである照明装置１０ａについて説明する。照明装置１０ａは、装置取付面に形成された角型の埋め込み穴に挿入されて取り付けられる。
以下の説明において、実施の形態１で説明した構成部材と同様の構成部材については同一の符号を付し、その説明を省略する。
【００３８】
図９は、本実施の形態に係る照明装置１０ａを照射側から見た底面図である。
図１０は、本実施の形態に係る化粧枠１５０ａの部分拡大図である。
図１１は、本実施の形態に係る保持部材１５５の取り付け状態を示す図である。
図１２は、本実施の形態に係る照明器具３０ａを示す４面図である。
【００３９】
図９に示すように、本実施の形態に係る照明装置１０ａは、四角形の開口部１４４が形成された器具本体１４０ａと、開口部１４４と連通する四角形の枠開口１５１が形成された化粧枠１５０ａとを備える。
図１０に示すように、化粧枠１５０ａは、器具本体１４０ａの鍔部１４２を収納する嵌め込み部１５２と、嵌め込み部１５２の外周側の取付面部１５３である部材取付枠部１５３１と、部材取付枠部１５３１の外周縁から突き出した突出枠部１５４とを備える。これらの、嵌め込み部１５２、取付面部１５３、部材取付枠部１５３１、突出枠部１５４は、四角形の環形状をなしているが、その機能は実施の形態１で説明したものと同様である。また、化粧枠１５０ａは、実施の形態１と同様の保持部材１５５を備える。
図１１に示すように、保持部材１５５は、実施の形態１と同様に、器具本体１４０ａの鍔部１４２を嵌め込み部１５２の底面５２１とで挟み込んで鍔部１４２の上面４２２を保持する。
【００４０】
また、図１２に示すように、本実施の形態では、保持部材１５５は四角形の化粧枠１５０ａにおいて対向する辺に対となるように少なくとも２つ配置される。本実施の形態では、２箇所の対となる位置に２つずつ、合計４つの保持部材１５５が配置されている。
なお、本実施の形態では器具本体１４０ａはリブを備えていないが、器具本体１４０ａが角型埋め込み穴の位置決め用に形成されたＬ形状に立ち上がるリブ１４８を備えていてもよい。実施の形態１で説明したように、器具本体１４０ａの外面部４１２から突出するリブ１４８が四角形の鍔部１４２において対向する対となる位置に設けられ、保持部材１５５のスリット５５４に挿入されていてもよい。
【００４１】
＊＊＊他の構成＊＊＊
図１３は、本実施の形態に係る照明装置１０ａの変形例を示す図である。
図１３では、１箇所の対となる位置に２つの保持部材１５５が配置されている。照明器具３０ａは、角型であるため枠が回転してずれてしまうことはないが、振動などによりＰ１方向にずれたりＰ２方向にずれたりするおそれがある。特に、図１３のように２つの保持部材１５５のみで固定されている場合は、化粧枠１５０ａがずれる可能性が高くなる。
このようなずれを防ぐために、図１３の点線により示される位置Ｐ１０及びＰ２０に保持部材１５５を取り付けてもよい。
位置Ｐ１０あるいはＰ２０に取り付けられた保持部材１５５は、他方の端部５５ｂの側部がバネ取付部１４７に接した状態で化粧枠１５０に固定されている。すなわち、保持部材１５５は、固定部５５３から鍔部１４２まで延び、鍔部１４２を保持した保持部５５１と、保持部５５１から外面部４１２まで延び、他方の端部５５ｂの側部がバネ取付部１４７に接した位置決め部５５２とを備える。このとき、スリット５５４にはリブ１４８が挿入されていなくてもよく、他方の端部５５ｂの側部がバネ取付部１４７に当接することにより、位置決めすることができる。
また、器具本体１４０ａがリブ１４８を備えている場合には、保持部材１５５をリブ１４８に当接させてもよい。
【００４２】
位置Ｐ１０に保持部材１５５を取り付けることにより、化粧枠１５０ａがＰ１方向にずれることを防ぐことができる。また、位置Ｐ２０に保持部材１５５を取り付けることにより、化粧枠１５０ａがＰ２方向にずれることを防ぐことができる。したがって、位置Ｐ１０及びＰ２０の各々に保持部材１５５を取り付けることにより、化粧枠１５０がＰ１及びＰ２の両方向にずれることがなく、化粧枠１５０の器具本体１４０への固定を確実にすることができる。
なお、バネ取付部１４７は、反射部１４１の外面部４１２から突き出た突出部の一例である。突出部はリブ１４８であっても構わない。
【００４３】
次に、他の変形例について説明する。
図３の点線により示される位置Ｐ３０及びＰ４０に保持部材１５５を取り付けてもよい。丸型の照明器具３０の場合は、枠が回転してずれてしまうおそれがある。
【００４４】
位置Ｐ３０あるいはＰ４０に取り付けられた保持部材１５５は、他方の端部５５ｂの側部がバネ取付部１４７に接した状態で化粧枠１５０に固定されている。すなわち、保持部材１５５は、固定部５５３から鍔部１４２まで延び、鍔部１４２を保持した保持部５５１と、保持部５５１から外面部４１２まで延び、他方の端部５５ｂの側部がバネ取付部１４７に接した位置決め部５５２とを備える。このとき、スリット５５４にはリブ１４８が挿入されていなくても、他方の端部５５ｂの側部がバネ取付部１４７に当接することにより、位置決めすることができる。
なお、他方の端部５５ｂの側部をリブ１４８に当接させてもよい。すなわち、丸形のダウンライトのリブに本実施の形態の位置決め部の側部を当接させてもよい。
【００４５】
位置Ｐ３０に保持部材１５５を取り付けることにより、化粧枠１５０が回転方向Ｐ３方向にずれることを防ぐことができる。また、位置Ｐ４０に保持部材１５５を取り付けることにより、化粧枠１５０が回転方向Ｐ４方向にずれることを防ぐことができる。したがって、位置Ｐ３０及びＰ４０の各々に保持部材１５５を取り付けることにより、化粧枠１５０がＰ３及びＰ４の両円周方向にずれることがなく、化粧枠１５０の器具本体１４０への固定を確実にすることができる。
なお、バネ取付部１４７は、反射部１４１の外面部４１２から突き出た突出部の一例である。突出部はリブ１４８であっても構わない。
【００４６】
また、本実施の形態では、化粧枠１５０は、４角形であったが、その他の形状でもよい。本体部及び化粧枠が楕円形、多角形、不定形であっても本実施の形態を適用することができる。
【００４７】
＊＊＊本実施の形態の効果の説明＊＊＊
保持部材は丸型のダウンライトだけでなく角型のダウンライトにも使えるので、保持部材を小型化することで、軽量化を図るとともに、組立性を向上させることができる。
【００４８】
また、実施の形態１では、保持部材の位置決め部にスリットを形成し、このスリットにリブが入り込むようにすることによって、位置決めをしたが、本実施の形態では、位置決め部の側部に突出部が当接するようにして、保持部材の位置決めをすることができる。よって、簡単な構成で位置決めができると共に、簡単な構成で化粧枠がずれることを防止することができる。
【００４９】
実施の形態３．
本実施の形態では、主に、実施の形態１との差異について説明する。
以下の説明において、実施の形態１で説明した構成部材と同様の構成部材については同一の符号を付し、その説明を省略する。
【００５０】
＊＊＊構成の説明＊＊＊
本実施の形態では、保持部材１５５ｘと鍔部１４２ｘの形状が実施の形態１の保持部材１５５と鍔部１４２と異なる。
図１４は、図１２のＢ部を模式的に表した模式図である。
【００５１】
鍔部１４２ｘは、上面４２２が周縁に向かって徐々に上方に傾斜する傾斜部４２３を有する。実施の形態１では、鍔部１４２は器具本体１４０の開口部１４４の周縁を含む面と略同一面上に、開口部１４４の周縁から突き出すように形成されていた。本実施の形態に係る鍔部１４２ｘは、開口部１４４の周縁から上方に傾斜するように形成される。図１４では、鍔部１４２ｘ自体が上方に傾斜するように形成されているので、鍔部１４２ｘの下面４２１と嵌め込み部１５２の底面５２１との間に隙間ができる。なお、鍔部１４２ｘ自体を上方に傾斜させてもよいし、鍔部１４２ｘの下面４２１と嵌め込み部１５２の底面５２１との間に隙間ができないように、鍔部１４２ｘの上面４２２のみが傾斜するように形成してもよい。また、鍔部１４２の先端と嵌め込み部１５２の外周との間には、隙間部５５９があることが好ましい。
【００５２】
保持部材１５５ｘの保持部５５１は、下方に屈曲し、上面４２２を保持した状態で傾斜部４２３と接する屈曲部５５８を有する。屈曲部５５８は、傾斜部４２３と当接するように下方に曲がっている。屈曲部５５８は、下方に付勢するように形成されており、保持部材１５５ｘが鍔部１４２ｘを挟み込む際に、屈曲部５５８が傾斜部４２３に接して、屈曲部５５８の付勢力が解除される。
【００５３】
＊＊＊本実施の形態の効果の説明＊＊＊
以上のように、本実施の形態では、鍔部に傾斜部を形成し、この傾斜部に保持部材が接するようにしているので、保持部材が傾斜部に接しているとき、振動などによって挟み込み状態が解除されることを防ぐことができる。
【００５４】
以上、本発明の実施の形態１から３について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。その他、これらの実施の形態を、全体としてあるいは部分的に、どのように組み合わせて実施しても構わない。
なお、上記の実施の形態は、本質的に好ましい例示であって、本発明、その適用物及び用途の範囲を制限することを意図するものではなく、必要に応じて種々の変更が可能である。
【符号の説明】
【００５５】
１０，１０ａ  照明装置、２０  光源ユニット、１１０  電源部、１１１  端子台、１１３  本体取付プレート、１２０  光源部、１２１  ヒートシンク、１２２  発光部、１２３  発光素子、１２４  取付部、３０，３０ａ  照明器具、１４０，１４０ａ  器具本体、１４１  反射部、４１１  内面部、４１２  外面部、１４２，１４２ｘ  鍔部、１４３  光源取付部、１４３１  光源開口、１４４  開口部、１４５  立上り部、１４６  取付バネ、１４７  バネ取付部、１４８  リブ、４２１  下面、４２２  上面、４２３  傾斜部、１５０，１５０ａ  化粧枠、１５１  枠開口、１５２  嵌め込み部、５２１  底面、１５３  取付面部、１５３１  部材取付枠部、１５４  突出枠部、１５５，１５５ｘ  保持部材、１５９  枠体、５５１  保持部、５５２  位置決め部、５５３  固定部、５５ａ  一方の端部、５５ｂ  他方の端部、５５ｃ  折り曲げ部、５５４  スリット、５５８  屈曲部、５５９  隙間部、１５６  ネジ、１５７  化粧面部。
【図１】
0006681703.tif 000002
【図２】
0006681703.tif 000003
【図３】
0006681703.tif 000004
【図４】
0006681703.tif 000005
【図５】
0006681703.tif 000006
【図６】
0006681703.tif 000007
【図７】
0006681703.tif 000008
【図８】
0006681703.tif 000009
【図９】
0006681703.tif 000010
【図１０】
0006681703.tif 000011
【図１１】
0006681703.tif 000012
【図１２】
0006681703.tif 000013
【図１３】
0006681703.tif 000014
【図１４】
0006681703.tif 000015